(57)【要約】      （修正有）【課題】室外機のベースに滴下した除霜水の凍結を適切に防止する空気調和機を提供する。【解決手段】室外機２０と室内機１０とを有する空気調和機であって、室外機２０は冷媒と空気との間で熱交換を行う室外熱交換器２３と、室外熱交換器２３の鉛直方向の下側に設けられたベース３０とを有し、ベース３０は、当該ベース３０の温度を測定するベース温度センサ３３と、ベース温度センサの３３測定結果（測定した温度Ｔ３）に基づいてベース３０を加熱するヒータ３２とを有する構成とした。【選択図】図１
2019020047.tif 000002
【特許請求の範囲】
【請求項１】
室外機と室内機とを有する空気調和機であって、
前記室外機は、
冷媒と空気との間で熱交換を行う室外熱交換器と、
前記室外熱交換器の鉛直方向の下側に設けられたベースと、有し、
前記ベースは、
当該ベースの温度を測定する温度センサと、
前記温度センサの測定結果に基づいて前記ベースを加熱するヒータと、を有する空気調和機。
【請求項２】
前記ベースには、当該ベースに供給された液体を排出する排出孔が設けられており、
前記温度センサは、前記排出孔の近傍に設けられた請求項１に記載の空気調和機。
【請求項３】
前記ベースにおいて、前記温度センサと前記ヒータとの間に、前記ヒータから前記温度センサへの伝熱を防止する伝熱防止部を有する請求項２に記載の空気調和機。
【請求項４】
前記ベースにおいて、前記温度センサと前記ヒータとは、前記排出孔を挟んだ反対側に設けられている請求項３に記載の空気調和機。
【請求項５】
前記排出孔の近傍での前記ヒータと前記ベースとの接触面積を、前記排出孔の近傍以外での前記ヒータと前記ベースとの接触面積よりも小さくした請求項４に記載の空気調和機。
【請求項６】
前記温度センサは、
温度を検出する検出部と、
前記検出部で検出された温度の情報を伝送する信号線と、を有し、
前記信号線は、長手方向を前記排出孔に向けた状態で前記ベースに設けられている請求項５に記載の空気調和機。
【請求項７】
前記温度センサを前記ベースに固定するセンサ固定部材と、
前記温度センサを前記ベース側に押圧する押圧部材と、を有し、
前記センサ固定部材は、前記ベースに溶接されていると共に、
前記押圧部材は、前記温度センサを前記ベースに押圧した状態で、少なくとも前記センサ固定部材又は前記ベースの何れか一方に固定されている請求項６に記載の空気調和機。
【請求項８】
前記温度センサを前記ベースに固定するセンサ固定部材と、
前記センサ固定部材を前記ベースに固定するネジ部材と、を有し、
前記ベースには、前記ネジ部材が螺合するネジ穴を有する固定部が、前記ベースの底面から突出して設けられており、
前記固定部の前記ベースの底面からの突出高さは、前記ネジ部材の長さよりも高く設定されている請求項６に記載の空気調和機。
【請求項９】
前記空気の通流方向における前記室外熱交換器の下流側に設けられた室外ファンと、
前記室外ファンを前記室外機に固定する室外ファンベース部材と、
前記温度センサで測定した温度に基づく前記ヒータの加熱制御を行う制御部と、さらに有し、
前記温度センサの前記信号線は、前記室外ファンベース部材に沿って配線されて前記制御部に接続されている請求項６に記載の空気調和機。
【請求項１０】
前記室外ファンの少なくとも一部を囲んで設けられた仕切り板を有し、
前記温度センサの前記信号線は、前記仕切り板に沿って配線されて前記制御部に接続されている請求項６に記載の空気調和機。
【請求項１１】
室外機と室内機とを有する空気調和機の制御方法であって、
前記空気調和機の運転モードが暖房モードであるか否かを判定するモード判定工程と、
前記室外機の圧縮機が運転中か否かを判定する圧縮機運転確認工程と、
前記室外機の外気温度が、第１閾値温度以下か否かを判定する外気温度判定工程と、
前記室外機のベースの温度が、第２閾値温度以下か否かを判定するベース温度判定工程と、
前記ベースに設けられたヒータを加熱するヒータ加熱工程と、を有し、
前記ヒータ加熱工程では、
前記外気温度判定工程において、前記外気温度が前記第１閾値温度以下であると判定された場合、または前記ベース温度判定工程において、前記ベースの温度が前記第２閾値温度以下であると判定された場合、前記ベースに設けられたヒータを加熱する空気調和機の制御方法。
【発明の詳細な説明】
【技術分野】
【０００１】
本発明は、空気調和機およびその制御方法に関する。
【背景技術】
【０００２】
従来、空気調和機の室外機において、当該室外機が暖房運転時に蒸発器として機能する場合、室外機の周囲温度によっては、室外機の室外熱交換器などに着霜することがある。室外熱交換器に着霜すると、室外熱交換器における冷媒と空気との間の熱交換が適切に行えなくなり、暖房能力が損なわれてしまう。
【０００３】
そのため、この種の空気調和機の室外機では、室外熱交換器への着霜を検知するようになっており、室外熱交換器への着霜を検知した場合、除霜運転を行うことで室外熱交換器の着霜を溶かすようになっている。溶けた液体（除霜水）は、室外機のベースに設けられたドレン孔から排出される。
【０００４】
ここで、寒冷地や真冬など、室外機のベースの温度が液体の凝固点よりも低くなる場合、室外機のベースに滴下した液体が、ドレン孔から排出される前に凍結してドレン孔を塞いでしまうことがある。その結果、凍結した液体（氷）がベースに堆積し、この堆積した氷が室外熱交換器に付着することで、室外熱交換器での冷媒と空気との間の熱交換が妨げられてしまう。また、ベースに堆積した氷により室外ファンの回転が妨げられ、室外機の正常な運転が損なわれることがある。
【０００５】
そのため、室外機のベースにヒータを設け、このヒータによりベースを加熱して除霜水が凍るのを防止するようにした空気調和機が開示されている（特許文献１参照）。
【先行技術文献】
【特許文献】
【０００６】
【特許文献１】２０１１−５８７０８号公報
【発明の概要】
【発明が解決しようとする課題】
【０００７】
特許文献１に開示された空気調和機は、測定した室外機の外気温度と室外熱交換器の温度に基づいて、ヒータによりベースを加熱して、除霜水の凍結を防止している。
【０００８】
しかしながら、室外機では、実際のベースの温度と、室外機の外気温度と室外熱交換器の温度との間には温度差がある。そのため、特許文献１に開示された空気調和機では、ベースの温度を正確に測定することができず、室外機のベースに滴下した除霜水の凍結を適切に防止できないという問題がある。
【０００９】
したがって本発明は、室外機のベースに滴下した除霜水の凍結を適切に防止することを目的とする。
【課題を解決するための手段】
【００１０】
上記課題を解決するため、室外機と室内機とを有する空気調和機であって、室外機は、冷媒と空気との間で熱交換を行う室外熱交換器と、室外熱交換器の鉛直方向の下側に設けられたベースと、有し、ベースは、当該ベースの温度を測定する温度センサと、温度センサの測定結果に基づいてベースを加熱するヒータと、を有する構成とした。
【発明の効果】
【００１１】
本発明によれば、室外機のベースに滴下した除霜水の凍結を適切に防止することができる。
【図面の簡単な説明】
【００１２】
【図１】本発明の実施の形態にかかる空気調和機の全体構成を説明する模式図である。
【図２】室外機の室外熱交換器、室外ファン及びベースの分解斜視図である。
【図３】ベースを、図２におけるＡ−Ａ方向から見た斜視図である。
【図４】他の実施の形態にかかるベースを、図２におけるＡ−Ａ方向から見た斜視図である。
【図５】ヒータの通電制御のフローチャートである。
【図６】ヒータの通電制御の動作を説明する図である。
【発明を実施するための形態】
【００１３】
以下、本発明の実施の形態にかかる空気調和機１を説明する。
図１は、実施の形態にかかる空気調和機１の全体構成を説明する模式図である。
図２は、室外機２０の室外熱交換器２３、室外ファン２２及びベース３０の分解斜視図である。
図３は、ベース３０を、図２におけるＡ−Ａ方向から見た斜視図である。
【００１４】
［空気調和機］
空気調和機１は、室内機１０と、室外機２０とを有している。
【００１５】
［室内機］
室内機１０は、筐体１１に、室内熱交換器１２と室内ファン１３とが収容されており、室内熱交換器１２では、室内ファン１３により送風された空気と、室内熱交換器１２を通流する冷媒との間で熱交換が行われる。
以下の説明では、空気の通流方向における室内熱交換器１２側を上流側、室内ファン１３側を下流側と定義する。
【００１６】
室内ファン１３は、クロスフローファンであり、モータ１３ａにより回転駆動される。モータ１３ａは、室内制御回路１４に接続されており、モータ１３ａ（室内ファン１３）の回転数や回転速度は、室内制御回路１４により制御される。
【００１７】
室内制御回路１４は、図示しないＣＰＵ（Ｃｅｎｔｒａｌ  Ｐｒｏｃｅｓｓｉｎｇ  Ｕｎｉｔ）、室内機１０の制御プログラム（図示せず）などが記憶されたＲＯＭ（ＲｅａｄＯｎｌｙ  Ｍｅｍｏｒｙ）、ＣＰＵによる一時的な作業領域となるＲＡＭ（Ｒａｎｄｏｍ  Ａｃｃｅｓｓ  Ｍｅｍｏｒｙ）などの記憶部、モータ１３ａを駆動する駆動部などを有している。
室内制御回路１４では、ＣＰＵ（図示せず）が記憶部に記憶された制御プログラム（図示せず）を読み込んで実行することで、室内機１０の全体的な制御を行う。
【００１８】
［室外機］
室外機２０は、筐体２１と、室外ファン２２と、室外熱交換器２３と、外気温度センサ２４と、圧縮機２５と、四方弁２６と、膨張弁２７と、熱交換器温度センサ２８と、室外制御回路２９とを有している。
【００１９】
筐体２１は、箱形状の基本形状をなしており、この筐体２１内に、室外ファン２２と、室外熱交換器２３と、外気温度センサ２４と、圧縮機２５と、四方弁２６と、膨張弁２７と、熱交換器温度センサ２８と、室外制御回路２９とが収容されている。
【００２０】
室外ファン２２は、モータ２２ａにより回転軸回りに回転するようになっており、この室外ファン２２の回転により、空気が室外熱交換器２３側から室外ファン２２側に通流するようになっている。
以下の説明では、空気の通流方向における室外熱交換器２３側を上流側、室外ファン２２側を下流側と定義する。
【００２１】
室外熱交換器２３は、配管５０を介して室内機１０側の室内熱交換器１２に接続されている。室外熱交換器２３内では、配管５０が複数折り返して配置されており、この配管５０を通流する冷媒（図示せず）と、室外熱交換器２３を通流する空気との間で熱交換が行われる。
【００２２】
室外熱交換器２３と室内熱交換器１２との間の配管５０には、膨張弁２７が設けられている。膨張弁２７では、配管５０を通流する冷媒（図示せず）が膨張して低圧低温になり、この低温低圧になった冷媒が、室外熱交換器２３又は室内熱交換器１２に供給される。
【００２３】
室外熱交換器２３の上流側には、外気温度センサ２４が設けられている。外気温度センサ２４は、サーミスタなどの公知の温度センサを用いることができる。この外気温度センサ２４により、室外機２０の周囲の外気温度Ｔ１が測定される。
【００２４】
また、室外熱交換器２３には、この室外熱交換器２３自体の温度Ｔ２を測定する熱交換器温度センサ２８が設けられている。熱交換器温度センサ２８は、サーミスタなどの公知の温度センサを用いることができる。
【００２５】
外気温度センサ２４と熱交換器温度センサ２８とは、それぞれ室外制御回路２９に接続されており、外気温度センサ２４で測定された外気温度Ｔ１と、熱交換器温度センサ２８で測定された室外熱交換器２３の温度Ｔ２の情報は、室外制御回路２９に出力される。
【００２６】
室外制御回路２９は、図示しないＣＰＵ（Ｃｅｎｔｒａｌ  Ｐｒｏｃｅｓｓｉｎｇ  Ｕｎｉｔ）、室外機２０の制御プログラム（図示せず）などが記憶されたＲＯＭ（ＲｅａｄＯｎｌｙ  Ｍｅｍｏｒｙ）、ＣＰＵによる一時的な作業領域となるＲＡＭ（Ｒａｎｄｏｍ  Ａｃｃｅｓｓ  Ｍｅｍｏｒｙ）などの記憶部、モータ２２ａを駆動する駆動部などを有している。
室外制御回路２９では、ＣＰＵ（図示せず）が記憶部に記憶された制御プログラム（図示せず）を読み込んで実行することで、室外機２０の全体的な制御を行う。
【００２７】
ここで、室内機１０と室外機２０との間には、配管５１と５２を介して圧縮機２５が設けられている。この圧縮機２５には、四方弁２６が接続されている。
【００２８】
暖房運転時には、室内熱交換器１２を凝縮器として機能させ、室外熱交換器２３を蒸発器として機能させるように四方弁２６が制御される。
また、外気温度の低い条件では暖房運転継続時間が長くなるにつれて、室外熱交換器２３が着霜し、熱交換性能が低下する。そこで、室外熱交換器２３に付着した霜を融かすために、除霜運転が行われる。除霜運転時には、室外熱交換器２３を凝縮器として機能させ、室内熱交換器１２を蒸発器として機能させるように（つまり、冷房運転時と同様に）四方弁２６が制御される。
【００２９】
室外機２０の底部には、ベース３０が設けられている。ベース３０は、筐体２１の下側の開口を塞いており、室外ファン２２、室外熱交換器２３などの鉛直方向の下側を覆っている。このため、除霜運転時に室外熱交換器２３や室外ファン２２で溶けた着霜は、除霜水となってベース３０に流れ落ちる。
【００３０】
ベース３０の底部には、楕円形状の排出孔３１が設けられており、ベース３０に流れ落ちた除霜水は、この排出孔３１から排出される。
ベース３０には、排出孔３１を囲むようにヒータ３２（図２のハッチング参照）が設けられている。
【００３１】
ヒータ３２は、排出孔３１を囲んで設けられており、このヒータ３２の上側に室外熱交換器２３が位置している。
【００３２】
ベース３０において、排出孔３１近傍のヒータ３２が設けられる領域（例えば、図２の領域Ｂ）には、ヒータ３２に沿って凸部（図示せず）又は凹部（図示せず）が設けられている。ヒータ３２と直交する方向の凸部の幅は、ヒータ３２の幅よりも小さくなっており、ヒータ３２と直交する方向の凹部の溝幅もまた、ヒータ３２の幅よりも小さくなっている。
【００３３】
よって、ヒータ３２をベース３０に配設すると、排出孔３１の近傍領域（例えば、図２の領域Ｂ）におけるヒータ３２とベース３０との接触面積は、凸部又は凹部がある分、排出孔３１の近傍領域以外の領域におけるヒータ３２とベース３０との接触面積よりも小さくなるように設定されている。
【００３４】
これにより、ヒータ３２は、排出孔３１の近傍領域Ｂ以外の領域では、ベース３０との接触面積が大きくなっているため、熱をベース３０に確実に伝熱してベース３０を十分加熱することができる。一方、ヒータ３２は、排出孔３１の近傍領域Ｂでは、ベース３０との接触面積が小さいため、排出孔３１の近傍は暖めつつ、ベース３０への伝熱は抑えられて、ヒータ３２の熱による排出孔３１の近傍に設けられたベース温度センサ３３の温度測定への影響を小さくすることができる。
【００３５】
この排出孔３１の近傍領域Ｂにおけるヒータ３２とベース３０との接触面積が、排出孔３１の近傍領域Ｂ以外の領域におけるヒータ３２とベース３０との接触面積よりも小さくなるように設定されている構成は、本願発明の伝熱防止部に相当する。
【００３６】
図３に示すように、排出孔３１の鉛直方向の上側及びヒータ３２との間には、ヒータガード３４が設けられており、使用者の指などが排出孔３１を介して室外機２０内部へ入り難くしている。よって、使用者が、室外機２０の外側から排出孔３１に指などを入れて、ヒータ３２や室外熱交換器２３に触れることで、火傷や怪我をすることを防止することができる。
【００３７】
図３に示すように、ベース３０における排出孔３１の近傍には、ベース３０の温度Ｔ３を測定するベース温度センサ３３が設けられている。
【００３８】
ベース温度センサ３３は、ベース３０の温度Ｔ３を検出する検出部３３１と、検出した温度Ｔ３を室外制御回路２９に伝送する信号線３３２とを有している。
【００３９】
ベース３０には、断面コ字状のセンサ固定部材３５が溶接により固定されており、ベース温度センサ３３は、先端側の検出部３３１を、排出孔３１に向けた状態で、センサ固定部材３５に挿通されてベース３０に固定されている。
【００４０】
この状態で、ベース温度センサ３３は、センサ固定部材３５に固定された板バネ３６によりベース３０に押圧されており、ベース温度センサ３３をベース３０に確実に接触させることで、ベース温度センサ３３によるベース３０の温度測定を精度よく行うことができる。
【００４１】
なお、板バネ３６は、弾性を有する部材であれば、板バネに限定されるものではなく、他の一例として、コイルばねやスポンジなどでもよい。
また、板バネ３６は、センサ固定部材３５に固定されている場合に限定されるものではなく、ベース３０やその他の部材に固定されている構成でもよい。
【００４２】
ベース温度センサ３３の信号線３３２は、センサ固定部材３５により、検出部３３１がベース３０に固定された状態で、長手方向を排出孔３１に向けて配設されている。つまり、信号線３３２は、排出孔３１とベース温度センサ３３の固定位置とを結ぶ線分Ｋ１に並行に配設されている。
【００４３】
これにより、ベース３０の表面に供給された除霜水（着霜が溶けた液体）は、信号線３３２に沿って排出孔３１に誘導されて、排出孔３１から効率よく排出される。
【００４４】
また、図２に示すように、信号線３３２は、室外ファンベース部材２２ｂに沿わせて配線した後、室外制御回路２９に接続されていてもよく、また、室外ファン２２側と、機械室の空間２０ｃを分離する仕切り板４０にバンド類を介して中間部を固定して引きまわしてもよい。
【００４５】
このようにすると、信号線３３２が、室外ファン２２に接触して損傷することを防止でき、また、ヒータ３２の熱により劣化することを防止できる。
【００４６】
なお、前述した実施の形態では、センサ固定部材３５をベース３０に溶接して固定した場合を例示して説明したが、センサ固定部材３５のベース３０への固定構造はこれに限定されるものではない。
【００４７】
例えば、ネジ３７を用いてセンサ固定部材３５Ａをベース３０Ａに固定してもよい。
図４は、他の実施の形態にかかるベース３０Ａを、図２におけるＡ−Ａ方向から見た斜視図である。
【００４８】
図４に示すように、ベース３０Ａでは、排出孔３１の近傍に断面三角形状の固定部３０ａが、ベース３０Ａの底面からベース温度センサ３３側に突出して設けられている。
この断面三角形状の固定部３０ａの一の面には、ネジ穴（図示せず）が設けられている。センサ固定部材３５Ａの一部を貫通したネジ３７を、このネジ穴に螺合することで、センサ固定部材３５Ａをベース３０Ａに固定することができる。
【００４９】
このようにすると、ベース温度センサ３３の検出部３３１が寿命や破損などで交換が必要になった場合、ネジ３７を外すことでセンサ固定部材３５Ａを簡単に外すことができ、検出部３３１（ベース温度センサ３３）のメンテナンスを容易に行える。
【００５０】
なお、ベース３０Ａにおける固定部３０ａの底面からの突出高さＨ１は、ネジ３７の長さＨ２よりも高く設定されている（Ｈ１＞Ｈ２）。これにより、センサ固定部材３５Ａをネジ３７でベース３０Ａに固定した際、ネジ３７の先端がベース３０Ａの底面から下側に突出しないようになっている。よって、ベース３０Ａの底面から突出したネジ３７による怪我を防止できる。
【００５１】
［空気調和機の動作］
次に空気調和機１の動作を説明する。
図５は、ヒータ３２の通電制御のフローチャートである。
図６は、ヒータ３２の通電制御の動作を説明する図である。
【００５２】
空気調和機１の運転が開始されるとまず、ステップＳ１０１において、空気調和機１の制御部（図示せず）は、空気調和機１の運転モードが冷房運転か暖房運転かを判定する。制御部は、運転モードが暖房運転であると判定した場合（ステップＳ１０１：Ｙｅｓ）、ステップＳ１０２に進む。一方、制御部は、運転モードが暖房運転でない（例えば、冷房運転）と判定した場合（ステップＳ１０１：Ｎｏ）、ステップＳ１０６に進み、ヒータ３２をＯＦＦにする。空気調和機１が冷房運転である場合、室外熱交換器２３などに着霜することはなく、ヒータ３２を通電してベース３０を加熱する必要がないからである。
【００５３】
ステップＳ１０２において、空気調和機１の制御部（図示せず）は、圧縮機２５が運転されているか否かを判定する。制御部は、圧縮機２５が運転中であると判定した場合（ステップＳ１０２：Ｙｅｓ）、ステップＳ１０３に進む。一方、制御部は、圧縮機２５が運転中でない（停止状態である）と判定した場合（ステップＳ１０２：Ｎｏ）、ステップＳ１０６に進み、ヒータ３２をＯＦＦにする。空気調和機１の圧縮機２５が運転していない場合、室外熱交換器２３などに着霜することはなく、ヒータ３２を通電してベース３０を加熱する必要がないからである。
【００５４】
ステップＳ１０３において、空気調和機１の制御部（図示せず）は、外気温度センサ２４で測定した外気温度Ｔ１が所定のヒータ通電開始温度Ｔｐ１未満であるか否かを判定する。制御部は、外気温度Ｔ１がヒータ通電開始温度Ｔｐ１未満であると判定した場合（ステップＳ１０３：Ｙｅｓ）、ステップＳ１０５に進んで、ヒータ３２をＯＮにする。一方、制御部は、外気温度Ｔ１が所定のヒータ通電開始温度Ｔｐ１以上であると判定した場合（ステップＳ１０３：Ｎｏ）、ステップＳ１０４に進む。
【００５５】
ステップＳ１０４において、空気調和機１の制御部（図示せず）は、ベース温度センサ３３で測定したベース３０の表面の温度Ｔ３が、所定のヒータ通電開始温度Ｔｐ２未満であるか否かを判定する。制御部は、ベース３０の表面の温度Ｔ３が、所定のヒータ通電開始温度Ｔｐ２未満であると判定した場合（ステップＳ１０４：Ｙｅｓ）、ステップＳ１０５に進んで、ヒータ３２をＯＮにする。一方、制御部は、ベース３０の温度Ｔ３が所定のヒータ通電開始温度Ｔｐ２以上であると判定した場合（ステップＳ１０４：Ｎｏ）、ステップＳ１０６に進んでヒータ３２をＯＦＦにする。
【００５６】
ステップＳ１０５で、ヒータ３２をＯＮにした後、又はステップＳ１０６でヒータ３２をＯＦＦにした後、ステップＳ１０１に戻る。
【００５７】
なお、前述したヒータ通電開始温度Ｔｐ１と、ヒータ通電開始温度Ｔｐ２とは異なる温度に設定されていてもよく、同じ温度に設定されていてもよい。
【００５８】
次に、図６において、空気調和機１の動作を、暖房運転時、除霜運転時、運転停止時、初期化除霜運転時の場合に分けて説明する。
【００５９】
［暖房運転時］
始めに、空気調和機１が暖房運転である場合の動作について説明する。
暖房運転時は、圧縮機２５運転中、外気温度センサ２４で測定した外気温度Ｔ１が、所定のヒータ通電開始温度Ｔｐ１よりも低い場合（Ｔ１＜Ｔｐ１）、ヒータ３２の通電を行う。
【００６０】
また、外気温度Ｔ１が、上記ヒータ通電開始温度Ｔｐ１より高い場合でも（Ｔ１≧Ｔｐ１）、ベース温度センサ３３により、ベース３０表面の温度Ｔ３を測定し、ベース３０の温度Ｔ３が、ヒータ通電開始温度Ｔｐ１とは別の温度に設定されるヒータ通電開始温度Ｔｐ２よりも低い場合（Ｔ３≦Ｔｐ２）、ヒータ３２の通電を行う。これにより、外気温度Ｔ１とベース３０の表面の温度Ｔ３の温度差が大きく、ベース３０に残氷が有る場合、または除霜水が再凍結する可能性がある場合に有効に働き、ベース３０内の凍結による排水不良を防止することができる。
【００６１】
また、ヒータ３２の加熱によりベース３０の温度が高くなり、ベース温度センサ３３で測定したベース３０の表面の温度Ｔ３が、ヒータ通電解除温度Ｔｈ１を超えた場合、ヒータ３２の通電を解除する。この判定の際に、誤作動防止のためヒータ通電解除温度Ｔｈ１を超える状態が、所定の通電判定時間Ｔｓ１の間継続して検出された場合にヒータ通電解除を確定させるようにしてもよい。
【００６２】
［除霜運転時］
次に、空気調和機１が除霜運転である場合の動作について説明する。
空気調和機１において、除霜運転直前の暖房運転では前述の外気温度センサ２４やベース温度センサ３３で測定した温度Ｔ１、Ｔ３の値によりヒータ３２の通電、非通電が異なる。
【００６３】
空気調和機１が除霜運転に入ると、室外熱交換器２３から流れ落ちた除霜水を、ベース３０で再凍結させないためにヒータ３２を通電状態にする。除霜運転が終わり、暖房運転に復帰しても、時間内に排水しきれなかった除霜水がベース３０内に残っているので再凍結防止のため、所定の通電遅延時間Ｔｓ２の間、ヒータ３２の通電を継続して行う。
【００６４】
空気調和機１において、除霜運転中は室外ファン２２が停止した状態になり、ヒータ３２に連続して通電するため、ヒータ３２の温度が暖房運転中に比較して上昇しやすくなる。よって、ヒータ３２の温度の過上昇防止のためベース温度センサ３３で測定したベース３０の温度Ｔ３により判定して通電を解除する仕組みにしてもよいし、サーモスタット（図示せず）を設けて通電を制御してもよい。
また、ヒータ３２の通電にかかる電力の節約のために上記仕様としてもよい。
【００６５】
［暖房運転停止時］
次に、空気調和機１での暖房運転停止時の動作について説明する。
空気調和機１において暖房運転を停止すると、暖房運転中に室外熱交換器２３によって冷却されたベース３０に残氷が残っているため、ベース温度センサ３３で測定したベース３０の温度Ｔ３がヒータ通電解除温度Ｔｈ１を超えた場合でも、所定の通電遅延時間Ｔｈ３の間、ヒータ３２の通電を継続して行う。
【００６６】
また、ヒータ３２の通電にかかる電力の節約のために、通電遅延時間Ｔｓ３内であってもベース温度センサ３３で測定したベース３０の温度Ｔ３が、所定のヒータ通電解除温度Ｔｈ１を超えれば通電を解除する仕様としてもよい。前述したが、この判定の際に、誤作動防止のためヒータ通電解除温度Ｔｈ１を超える状態が、所定の通電判定時間Ｔｓ４の間継続して検出された場合にヒータ３２の通電解除を確定させるようにしてもよい。
【００６７】
［初期化除霜運転時］
次に、空気調和機１での初期化除霜運転時の動作について説明する。
空気調和機１において、暖房運転を一定時間以上実施し、なおかつ除霜運転に入る前に運転停止した場合に、室外熱交換器２３に付着した霜が残り、次回の暖房運転開始時の熱交換を妨げ暖房能力が不足することがある。このような事態を防止するため、暖房運転を所定の時間以上実施した場合、暖房運転停止後、自動的に除霜運転に移行し、霜を取り除いてから運転停止するようにしている。この一連の動作を以下では初期化除霜運転と言う。
【００６８】
空気調和機１において、暖房運転が停止され、初期化除霜運転に移行すると、前述の通常の除霜運転同様、室外熱交換器２３から流れ落ちた除霜水を、ベース３０で再凍結させないためにヒータ３２を通電状態にする。空気調和機１において、初期化除霜運転が終わり、圧縮機２５が停止しても、時間内に排水しきれなかった除霜水がベース３０内に残っているので再凍結防止のため、所定の通電遅延時間Ｔｓ５の間、ヒータ３２の通電を継続して行う。
【００６９】
空気調和機１において、初期化除霜運転中についても同様だが、ヒータ３２の通電にかかる電力の節約のために、通電遅延時間Ｔｓ５内であってもベース温度センサ３３で測定したベース３０の温度Ｔ３が、所定のヒータ通電解除温度Ｔｐ１を超えれば通電を解除する仕様としてもよい。前述したが、この判定の際に、誤作動防止のためヒータ通電解除温度Ｔｐ１を超える状態が、所定の通電判定時間Ｔｓ６の間継続して検出された場合にヒータ３２の通電解除を確定させるようにしてもよい。
【００７０】
以上説明した通り、実施の形態では、
（１）室外機２０と室内機１０とを有する空気調和機１であって、室外機２０は、冷媒と空気との間で熱交換を行う室外熱交換器２３と、室外熱交換器２３の鉛直方向の下側に設けられたベース３０と、有し、ベース３０は、当該ベース３０の温度を測定するベース温度センサ３３と、ベース温度センサの３３測定結果（測定した温度Ｔ３）に基づいてベース３０を加熱するヒータ３２と、を有する構成とした。
【００７１】
このように構成すると、空気調和機１では、ベース温度センサ３３によりベース３０表面の温度Ｔ３を測定し、暖房運転中にベース温度センサ３３で測定した温度Ｔ３が、ヒータ３２の通電開始温度Ｔｐ２より低くなる場合、ヒータ３２に通電してベース３０を加熱しておくことにより、除霜運転に移行後の除霜水再凍結を防止し、スムーズに除霜水を排出させることができるため、必要な暖房能力を確保することができる。
【００７２】
また、空気調和機１では、暖房運転停止後、および暖房運転停止後の初期化除霜運転終了後にベース温度センサ３３で測定した温度Ｔ３がヒータ３２の通電開始温度Ｔｐ２より低くなる場合は設定された通電遅延時間Ｔｓ３内はヒータ３２の通電を継続し、残氷、残除霜水の再凍結による排水不良を防止することができるため、暖房運転を再開する際に必要な暖房能力を確保することができ、従来よりも空気調和機１の快適性を高めることができる。
【００７３】
（２）また、ベース３０には、当該ベース３０に供給された液体（除霜水）を排出する排出孔３１が設けられており、ベース温度センサ３３は、排出孔３１の近傍に設けられた構成とした。
【００７４】
このように構成すると、空気調和機１において、ベース温度センサ３３によりベース３０の排出孔３１の周囲表面の温度Ｔ３を測定し、通電開始判定をさせることにより、除霜運転中の除霜水再凍結を防止し、スムーズに除霜水の排出をより効果的にさせることができるため、必要な暖房能力を確保することができる。
【００７５】
また、空気調和機１において、暖房運転停止後、および運転停止後の初期化除霜運転終了後にベース３０の排出孔３１の周囲表面の温度Ｔ３を検知させることにより、残氷、残除霜水の再凍結による排水不良を防止し、除霜水の排出をより効果的にさせることができるため、暖房運転を再開する際に必要な暖房能力を確保することができる。
このようにベース温度センサ３３に排出孔３１の周囲表面の温度を測定させることにより、残氷や除霜水の再凍結を排出孔３１の周辺に発生させないようにすることができる。従って、従来よりも空気調和機１の快適性を高めることができる。
【００７６】
（３）また、ベース３０において、ベース温度センサ３３とヒータ３２との間に、ヒータ３２からベース温度センサ３３への伝熱を防止する伝熱防止部（ベース３０に設けられた凸部又は凹部）を有する構成とした。
【００７７】
このように構成すると、伝熱防止部により、ヒータ３２の熱により、ベース温度センサ３３が暖められるのを防止する。よって、ベース温度センサ３３により、ベース３０の表面の温度Ｔ３の測定を、ヒータ３２の影響を受けることなく正確に行うことができる。
【００７８】
（４）また、ベース３０において、ベース温度センサ３３とヒータ３２とは、排出孔３１を挟んだ反対側に設けられている構成とした。
【００７９】
このように構成すると、ベース温度センサ３３により、ベース３０の排出孔３１を挟んでヒータ３２の反対側の表面の温度Ｔ３を測定し、通電開始判定をさせることにより、除霜運転中の除霜水再凍結を防止し、スムーズに除霜水の排出をより効果的にさせることができるため、必要な暖房能力を確保することができる。
【００８０】
また、空気調和機１において、暖房運転停止後、および運転停止後の初期化除霜運転終了後にベース３０の排出孔３１を挟んでヒータ３２の反対側の表面の温度Ｔ３を測定させることにより、残氷、残除霜水の再凍結による排水不良を防止し、除霜水の排出をより効果的にさせることができるため、暖房運転を再開する際に必要な暖房能力を確保することができる。
このようにベース温度センサ３３に排出孔３１のヒータ３２を挟んで反対側の表面の温度Ｔ３を検知させることにより、残氷や除霜水の再凍結を排出孔３１の周辺に発生させないようにすることができる。従って、従来よりも空気調和機１の快適性を高めることができる。
【００８１】
（５）また、排出孔３１の近傍でのヒータ３２とベース３０との接触面積を、排出孔３１の近傍以外でのヒータ３２とベース３０との接触面積よりも小さい構成とした。
【００８２】
このように構成すると、ベース３０の排出孔３１の表面に設置されたベース温度センサ３３で測定した温度Ｔ３にてヒータ３２の通電判定を行う際に、ベース温度センサ３３がヒータ３２の熱影響により実際の排出孔３１の表面の温度よりも高く測定されることでヒータ３２の通電が解除されてしまうことを防止でき、より空調の快適性をさらに高めることができる。
【００８３】
（６）また、ベース温度センサ３３は、ベース３０の表面の温度Ｔ３を検出する検出部３３１と、検出部３３１で検出された温度Ｔ３の情報を伝送する信号線３３２と、を有し、信号線３３２は、長手方向を排出孔３１に向けた状態でベース３０に設けられている構成とした。
【００８４】
前述したように、ベース温度センサ３３をベース３０の表面に設置することによりベース温度センサ３３自身が勾配の上流側からの除霜水の流れを阻害しないように取付姿勢、取付方法に注意が必要となることがある。
このように構成すると、ベース温度センサ３３の先端が排出孔３１に向けられている。よって、ベース温度センサ３３の信号線３３２は、長手方向を排出孔３１に向けて配設されているので、除霜水の流れに対して抵抗を最小限にすることができる。
【００８５】
（７）また、ベース温度センサ３３をベース３０に固定するセンサ固定部材３５と、ベース温度センサ３３をベース３０側に押圧する板バネ３６（押圧部材）と、を有し、センサ固定部材３５は、ベース３０に溶接されていると共に、板バネ３６は、ベース温度センサ３３をベース３０に押圧した状態で、少なくともセンサ固定部材３５又はベース３０の何れか一方に固定されている構成とした。
【００８６】
このように構成すると、ベース温度センサ３３の固定はベース３０上に溶接などで固定されたセンサ固定部材３５に挿入されて、ベース３０の表面と反対側の隙間に板バネ３６を挿入して固定することで、ヒータ３２を適正に制御する手段を有しながら、固定のためにベース３０裏側に突起を生じさせない構造とし、据付作業時などに手指を傷つけることがない構造とすることができる。
【００８７】
（８）また、他の実施の形態で説明したように、ベース温度センサ３３をベース３０Ａに固定するセンサ固定部材３５Ａと、センサ固定部材３５Ａをベース３０Ａに固定するネジ３７と、を有し、ベース３０Ａには、ネジ３７が螺合するネジ穴（図示せず）を有する固定部３０ａが、ベース３０Ａの底面から突出して設けられており、固定部３０ａのベース３０Ａの底面からの突出高さＨ１は、ネジ３７の長さＨ２よりも高く（Ｈ１＞Ｈ２）設定されている構成とした。
【００８８】
このように構成すると、ベース温度センサ３３の固定はセンサ固定部材３５Ａで押さえてネジ３７でベース３０に貫通させ、更にねじ締め周囲部を絞って固定部３０ａ（凸形状）にし、ネジ３７の先端をベース３０裏側に突出させない構造とすることにより、ヒータ３２を適正に制御する手段を有しながら、据付作業時などに手指を傷つけることがない構造とすることができる。
【００８９】
（９）また、空気の通流方向における室外熱交換器２３の下流側に設けられた室外ファン２２と、室外ファン２２を室外機１０に固定する室外ファンベース部材２２ｂと、ベース温度センサ３３で測定したベース３０の表面の温度Ｔ３に基づくヒータ３２の加熱制御を行う室外制御回路２９（制御部）と、さらに有し、ベース温度センサ３３の信号線３３２は、室外ファンベース部材２２ｂに沿って配線されて室外制御回路２９に接続されている構成とした。
【００９０】
このように構成すると、ベース温度センサ３３の信号線３３２（配線）がヒータ３２や室外ファン２２に触れることなく引く回すことができ、ヒータ３２の熱や、回転する室外ファン２２に接触することで、信号線３３２が損傷することを防止することができる。
【００９１】
（１０）また、室外ファン２２の少なくとも一部を囲んで設けられた仕切り板４０を有し、ベース温度センサ３３の信号線３３２は、仕切り板４０に沿って配線されて室外制御回路２９に接続されている構成とした。
【００９２】
このように構成すると、ベース温度センサ３３の信号線３３２（配線）がヒータ３２や室外ファン２２に触れることなく引く回すことができ、ヒータ３２の熱や、回転する室外ファン２２に接触することで、配線が損傷することを防止することができる。
【００９３】
（１１）室外機２０と室内機１０とを有する空気調和機１の制御方法であって、空気調和機１の運転モードが暖房運転（暖房モード）であるか否かを判定するステップＳ１０１の工程（モード判定工程）と、室外機２０の圧縮機２５が運転中か否かを判定するステップＳ１０２の工程（圧縮機運転確認工程）と、室外機２０の外気温度Ｔ１が、ヒータ通電開始温度Ｔｐ１（第１閾値温度）以下か否かを判定するステップＳ１０３の工程（外気温度判定工程）と、室外機２０のベース３０の表面の温度Ｔ３が、ステップＳ１０３の工程とは異なるヒータ通電開始温度Ｔｐ２（第２閾値温度）以下か否かを判定するステップＳ１０４の工程（ベース温度判定工程）と、ベース３０に設けられたヒータ３２を加熱するステップＳ１０５の工程（ヒータ加熱工程）と、を有し、ステップＳ１０５の工程（ヒータ加熱工程）では、ステップＳ１０３の工程（外気温度判定工程）において、外気温度Ｔ１がヒータ通電開始温度Ｔｐ１以下であると判定された場合、またはステップＳ１０４の工程（ベース温度判定工程）において、ベース３０の表面の温度Ｔ３がヒータ通電開始温度Ｔｐ２以下であると判定された場合、ベース３０に設けられたヒータ３２を加熱する構成とした。
【００９４】
このように構成すると、、空気調和機１では、ベース温度センサ３３によりベース３０表面の温度Ｔ３を測定し、暖房運転中にベース温度センサ３３で測定した温度Ｔ３が、ヒータ３２の通電開始温度Ｔｐ２より低くなる場合、ヒータ３２に通電してベース３０を加熱しておくことにより、除霜運転に移行後の除霜水再凍結を防止し、スムーズに除霜水を排出させることができるため、必要な暖房能力を確保することができる。
【００９５】
また、本発明は、前述した実施の形態の全ての構成を備えているものに限定されるものではなく、前述した実施の形態の構成の一部を、他の実施の形態の構成に置き換えてもよく、また、前述した実施の形態の構成を、他の実施の形態の構成に置き換えてもよい。
【００９６】
また、前述した実施の形態の一部の構成について、他の実施の形態の構成に追加、削除、置換をしてもよい。
【００９７】
また、上記した実施の形態の構成、機能、処理、手段は、それの一部又は全部を、例えば、集積回路で設計する等により、ハードウェアで実現してもよい。また、前述した構成、機能は、プロセッサがそれぞれの機能を実現するプログラムの実行により実現できるものであってもよい。
このプログラム等の情報は、メモリなどの記憶装置に記憶しておくことができる。
【符号の説明】
【００９８】
１： 空気調和機
１０：室内機
１１：筐体
１２：室内熱交換器
１３：室内ファン
１３ａ：モータ
１４：室内制御回路
２０：室外機
２１：筐体
２２：室外ファン
２２ａ：モータ
２３：室外熱交換器
２４：外気温度センサ
２５：圧縮機
２６：四方弁
２７：膨張弁
２８：熱交換器温度センサ
２９：室外制御回路
３０、３０Ａ：ベース
３０ａ：固定部
３１：排出孔
３２：ヒータ
３３：ベース温度センサ
３３１：検出部
３３２：信号線
３４：ヒータガード
３５、３５Ａ：センサ固定部材
３６：板バネ
３７ネジ
４０：仕切り板
５０〜５２：配管
【図１】
2019020047.tif 000003
【図２】
2019020047.tif 000004
【図３】
2019020047.tif 000005
【図４】
2019020047.tif 000006
【図５】
2019020047.tif 000007
【図６】
2019020047.tif 000008